(57)【要約】【課題】流下する雨水により、大きな音が発生するのを抑制できる雨樋用継手及び筒状樋と雨樋用継手との接続構造を提供する。【解決手段】本発明は、筒状樋５の下端に取り付けられる雨樋用継手１である。筒状樋５の下端に接続される接続口２と、前記接続口２の開口端よりも下方に設けられて内側に突出する突起部２１と、前記接続口２を覆うようにして突起部２１上に配置されると共に上下方向に貫通する排水開口４１が外縁部の一部に設けられ、且つ弾性変形可能な消音部材４とを備える。【選択図】図１
2013108269.tif 000002
【特許請求の範囲】
【請求項１】
筒状樋の下端に取り付けられる雨樋用継手であって、
前記筒状樋の下端に接続される接続口と、
前記接続口の開口端よりも下方に設けられて内側に突出する突起部と、
前記接続口を覆うようにして前記突起部上に配置されると共に上下方向に貫通する排水開口が外縁部の一部に設けられ、且つ弾性変形可能な消音部材と
を備えている
ことを特徴とする雨樋用継手。
【請求項２】
前記消音部材がスポンジにより構成されたものである
ことを特徴とする請求項１記載の雨樋用継手。
【請求項３】
請求項１又は請求項２のいずれかに記載の雨樋用継手が取り付けられた筒状樋と雨樋用継手との接続構造であって、
前記雨樋用継手と、
前記雨樋用継手の前記接続口に接続された筒状樋と
を備え、
前記消音部材の外縁が、前記筒状樋の下端により前記雨樋用継手の前記突起部側に押圧されて圧縮し、これにより前記消音部材の上面が中央から前記排水開口に向けて下り傾斜している
ことを特徴とする筒状樋と雨樋用継手との接続構造。
【発明の詳細な説明】
【技術分野】
【０００１】
本発明は、雨樋用継手及び筒状樋と雨樋用継手との接続構造に関する。
【背景技術】
【０００２】
従来、雨樋に取り付けられる雨樋用継手が知られている（例えば特許文献１参照）。
【０００３】
特許文献１記載の雨樋用継手はエルボからなる管継手である。このエルボは、竪樋の下端に取り付けられる。
【０００４】
ところで、通常、筒状樋（特許文献１では竪樋）の内部を流れる雨水は、筒状樋の内側面に沿うようにして流下する。ところが、雨水の流量が多くなると、雨水が筒状樋の内部でまとまり、そのままエルボの内底面に落下する場合がある。このとき、まとまった雨水がエルボの内底面に落下すると、衝撃により大きな音が発生することがある。
【０００５】
特許文献１記載の接続構造は、竪樋の内側面に、中央側ほど下り傾斜した邪魔板が設けられている。この邪魔板の上面には、植毛によって形成された消音層が設けられている。この接続構造によれば、竪樋内部を流下する雨水を、邪魔板に衝突させると共に植毛上を流下させて流速を遅くさせ、これにより騒音の発生を防ごうとするものである。
【先行技術文献】
【特許文献】
【０００６】
【特許文献１】特開平９−１２５６３６号公報
【発明の概要】
【発明が解決しようとする課題】
【０００７】
しかしながら特許文献１記載の接続構造では、邪魔板の先端と竪樋継手の内壁面との間に形成された隙間から、雨水がまとまって落下する場合がある。このとき、エルボの内底面にまとまった雨水が落下し、その衝撃により大きな音が発生することがある。
【０００８】
本発明は、上記事情に鑑みてなされたものであり、その目的とするところは、流下する雨水により、大きな音が発生するのを抑制できる雨樋用継手及び筒状樋と雨樋用継手との接続構造を提供することにある。
【課題を解決するための手段】
【０００９】
本発明の雨樋用継手は、筒状樋の下端に取り付けられる雨樋用継手であって、前記筒状樋の下端に接続される接続口と、前記接続口の開口端よりも下方に設けられて内側に突出する突起部と、前記接続口を覆うようにして前記突起部上に配置されると共に上下方向に貫通する排水開口が外縁部の一部に設けられ、且つ弾性変形可能な消音部材とを備えていることを特徴とする。
【００１０】
またこの雨樋用継手において、前記消音部材がスポンジにより構成されたものであることが好ましい。
【００１１】
本発明の筒状樋と雨樋用継手との接続構造は、上記雨樋用継手が取り付けられた筒状樋と雨樋用継手との接続構造であって、前記雨樋用継手と、前記雨樋用継手の前記接続口に接続された筒状樋とを備え、前記消音部材の外縁が、前記筒状樋の下端により前記雨樋用継手の前記突起部側に押圧されて圧縮し、これにより前記消音部材の上面が中央から前記排水開口に向けて下り傾斜していることを特徴とする。
【発明の効果】
【００１２】
本発明の雨樋用継手及び筒状樋と雨樋用継手との接続構造によれば、流下する雨水により、大きな音が発生するのを抑制することができる。
【図面の簡単な説明】
【００１３】
【図１】本実施形態の雨樋用継手であり（ａ）は一部破断した側面図（ｂ）は水平断面図である。
【図２】本実施形態の雨樋用継手の分解斜視図である。
【図３】本実施形態の雨樋用継手と筒状樋とが接続された状態の側面図である。
【発明を実施するための形態】
【００１４】
以下、本発明の実施形態について添付図面に基づいて説明する。
【００１５】
本実施形態の雨樋用継手１は、図３に示されるように、筒状樋５の下端に取り付けられる。筒状樋５は、筒状をした排水用の樋である。本実施形態の筒状樋５は、建物の外壁８２に沿って取り付けられる竪樋５１により構成されている。筒状樋５は断面角筒状に形成されている。なお筒状樋５は、断面形状として角筒状であってもよいし、円筒形状であってもよい。
【００１６】
雨樋用継手１は、図１に示されるように、竪樋５１の下端に接続される接続口２と、竪樋５１の長手方向とは略直角な方向に臨んで開口する吐出口３とを備えている。本実施形態の雨樋用継手１はエルボ１０であり、接続口２と吐出口３とは互いに略直角な方向に臨んで開口している。雨樋用継手１は、接続口２の内径が竪樋５１の外径と略同じ寸法に形成されて、この竪樋５１を外側から被嵌する。
【００１７】
雨樋用継手１は、図２に示されるように、接続口２の内部に、外周部から中央側に向けて突出した突起部２１を有している。突起部２１は、接続口２の周方向の略全長に亘って設けられている。突起部２１は、その上面が、後述の消音部材４が当接・載置される消音部材当接面２２となっている。突起部２１は、接続口２の開口端から所定寸法下方に設けられている。この突起部２１は、図１に示されるように、竪樋５１の下端が接続口２に嵌め込まれた際に、竪樋５１の下端を位置決めする。突起部２１よりも上方の雨樋用継手１の内周面は、竪樋５１に接着剤を介して固定される。なお、雨樋用継手１は、接着剤により固定されていなくてもよく、嵌合されて固定されるだけのものであってもよい。
【００１８】
雨樋用継手１は、接続口２を覆うようにして設けられた消音部材４を備えている。この消音部材４は、衝撃を吸収することができると共に通水性を有している。また消音部材４は、弾性変形可能な素材で形成されている。本実施形態の消音部材４は、所定厚みで且つ接続口２の開口の大きさよりも僅かに小さく（例えば２〜３mm小さく）形成されたスポンジ４０により構成されている。消音部材４は、図２に示されるように、矩形状のスポンジ４０材の各角部を切欠することで形成された排水開口４１を有している。言い換えると排水開口４１は、消音部材４の周方向の一部に設けられている。排水開口４１は、消音部材４を上下方向に貫通する。本実施形態の消音部材４は、四隅に排水開口４１が形成されることで、平面視略十字状に形成されている。
【００１９】
なおこの排水開口４１は、消音部材４の外周部の一部に設けられていればよい。つまり中央よりも外縁側で且つ外縁よりも中央側の位置に設けられた貫通孔であってもよい。
【００２０】
消音部材４は、接続口２内の突起部２１上に収容配置される。消音部材４は、その下面が、突起部２１の消音部材当接面２２に当接するよう配置される。消音部材４は、図１に示されるように、接続口２を覆うよう配置されているが、竪樋５１内と吐出口３とは、排水開口４１を介して連通している。
【００２１】
このような構成の雨樋用継手１は、竪樋５１の下端に取り付けられる。雨樋用継手１が竪樋５１の下端に取り付けられると、消音部材４が竪樋５１の下端に上方から押圧される。消音部材４は、その外縁が、竪樋５１の下端により突起部２１側に押圧され、これにより竪樋５１と突起部２１との間で圧縮される。すると消音部材４は、図１（ａ）に示されるように、その上面が中央ほど上方に位置するような山形に弾性変形する。言い換えると、消音部材４の上面が中央から排水開口４１に向けて下り傾斜するよう変形する。
【００２２】
この状態で、竪樋５１内に雨水が流下すると、竪樋５１の内周面に沿って流下した雨水は、そのまま消音部材４の排水開口４１を通過し、吐出口３から排水される。また、竪樋５１内の雨水の流量が増え、雨水がまとまって竪樋５１中央を落下すると、その雨水は、消音部材４の頂部に落下する。その後、中央から外縁に向けて下り傾斜した消音部材４の上面を伝って雨水が移動し、排水開口４１を通過して吐出口３から排水される。なお、雨水の一部は、通水性を有する消音部材を透過する。
【００２３】
このように本実施形態の雨樋用継手１は、接続口２を覆うようにして弾性変形可能な消音部材４が設けられているため、竪樋５１に取り付けられると、竪樋５１の下端と突起部２１との間で消音部材４が圧縮される。これにより消音部材４の上面を、排水開口４１に向けて下り傾斜させることができる。この結果、まとまって大粒となった雨水が、竪樋５１の中央を落下したとしても、消音部材４の頂部に落下するため、衝撃音が発生せず、騒音の発生を防ぐことができる。しかもその後、下り傾斜に沿って雨水を排水することができるため、排水性の低下を極力避けることができる。
【００２４】
また、本実施形態の雨樋用継手１は、消音部材４がスポンジ４０により構成されているため、小コスト化を図ることができる。しかもこのスポンジ４０は、製造時点で断面の厚みが略均一なものであっても、竪樋５１が取り付けられると排水開口４１に向けて下り傾斜するよう変形する。このため、スポンジ４０を製造するに当たり、長尺なスポンジ４０を単に所定厚みに切断するだけでよいため、製造性を向上させることができる。
【００２５】
このような構成の筒状樋５と雨樋用継手１との接続構造は、例えば、図３に示されるような構造である。この雨樋用継手１は、上階８０と下階８１との間の竪樋５１の下端に取り付けられる。
【００２６】
上階８０及び下階８１の軒樋には、集水器６が取り付けられている。集水器６は、軒樋からの雨水を受ける集水部６１と、集水部６１の雨水を呼び樋７０に排出する排水筒部６２とを備える。集水器６は、排水筒部６２が呼び樋７０の上端に連通接続されている。呼び樋７０は、一端に集水器６が取り付けられ、他端に竪樋５１が接続されている。竪樋５１は、その下端に本実施形態の雨樋用継手１が取り付けられている。雨樋用継手１の吐出口３には、下階８１の軒樋又は集水器６に向けて雨水を流す配管７１に接続されている。なお、図３中の符号７２は、竪樋５１を外壁８２に沿って取り付ける竪樋控え具である。
【００２７】
下階８１の集水器６は、上階８０のものと構造と同じ構造となっている。なお集水器６の排水筒部６２には、本実施形態の雨樋用継手１を取り付けることもできる。この場合、集水器６の排水筒部６２が、雨樋用継手１の接続口２に接続される筒状樋５となる。
【００２８】
屋根から流下し軒樋を伝って集水器６に集められた雨水は、呼び樋７０を介して竪樋５１に流入する。雨水は、竪樋５１から本実施形態の雨樋用継手１に流入する。このとき、上述のように、雨水がまとまって落下したとしても、消音部材４に衝突しこの消音部材４が衝撃を吸収するため、大きな衝撃音がしない。この後雨水は、下階８１の軒樋に流入し、集水器６・竪樋５１を介して下階８１の地表近傍に設けられた雨樋用継手１（図３には図示しない）に流入する。その後雨水は、排水溝（図示せず）に排水される。
【００２９】
なお、本実施形態の雨樋用継手１は、角型の筒状樋５に接続されるものであったが、本発明の雨樋用継手は、断面円形の丸樋に接続可能な構造であってもよい。また、筒状樋５は、本実施形態のような竪樋５１に限定されず、集水器６の排水筒部６２に取り付けられるものであってもよい。
【００３０】
また本実施形態の雨樋用継手１は、エルボ１０により構成されていたが、例えば正面視Ｔ字状のいわゆるチーズ継手であってもよく、エルボにのみに限定されない。
【符号の説明】
【００３１】
１      雨樋用継手
１０    エルボ
２      接続口
２１    突起部
２２    消音部材当接面
３      吐出口
４      消音部材
４０    スポンジ
４１    排水開口
５      筒状樋
５１    竪樋
６      集水器
６１    集水部
６２    排水筒部
７０    呼び樋
７１    配管
７２    竪樋控え具
８２    外壁
【図１】
2013108269.tif 000003
【図２】
2013108269.tif 000004
【図３】
2013108269.tif 000005